(57)【要約】【課題】  接触部と受け部とで毛髪を挟んで超音波振動による施術を行う時に、毛髪の横広がりを防止することができるヘアセット装置を提供する。【解決手段】  超音波振動を発生させる振動子１と、振動子１の振動を増幅して毛髪Ｈに伝達するホーン２とを備え、前記ホーン２の振動子１に連結した側と反対側の端面を毛髪Ｈとの接触部２０とすると共に、前記接触部２０とで毛髪Ｈを挟むための該接触部２０に対して離接自在な受け部３を設けたヘアセット装置において、接触部２０の両端部の振幅を中央部の振幅よりも大きくした。【選択図】        図１
2006334109.tif 000002
【特許請求の範囲】
【請求項１】
超音波振動を発生させる振動子と、振動子の振動を増幅して毛髪に伝達するホーンとを備え、前記ホーンの振動子に連結した側と反対側の端面を毛髪との接触部とすると共に、前記接触部とで毛髪を挟むための該接触部に対して離接自在な受け部を設けたヘアセット装置において、接触部の両端部の振幅を中央部の振幅よりも大きくして成ることを特徴とするヘアセット装置。
【請求項２】
接触部の両端部の振動方向を、接触部から受け部方向に離れる程中央部に近づくように傾斜させて成ることを特徴とする請求項１記載のヘアセット装置。
【請求項３】
受け部とホーンの接触部との少なくとも一方に押え部材を設けて成ることを特徴とする請求項１又は２記載のヘアセット装置。
【発明の詳細な説明】
【技術分野】
【０００１】
本発明は、超音波振動によりヘアセットを行うヘアセット装置に関するものである。
【背景技術】
【０００２】
従来より、図９に示すような超音波振動によりヘアセットを行うヘアセット装置が知られている（例えば特許文献１参照）。このヘアセット装置は、図１０に示すように、超音波振動を発生させる振動子１と、振動子１の振動を増幅して毛髪Ｈに伝達するホーン２とを備え、ホーン２の端面を毛髪Ｈとの接触部２０とし、受け部（図示せず）と接触部２０とで毛髪Ｈを挟んで超音波振動によりヘアセット（毛髪Ｈの形状変形の施術）を行うものである。
【０００３】
この従来のヘアセット装置にあっては、接触部２０は毛髪Ｈと直交する方向を長手方向とする線状又は矩形状をしたもので、その長手方向イの中央部の振幅ｈ１は図１１（ａ）に示すように両端部の振幅ｈ２と比較して大きかったり、あるいは長手方向イ全長に亙って振幅ｈが略均一となっているが、この場合、接触部２０と受け部とで挟んだ毛髪Ｈを超音波振動により施術すると毛髪Ｈが横広がりとなってしまい、ヘアセットにムラが生じたりセット時間が長くなるといった問題があり、またこれにより、消費電力が増大してしまうという問題もあった。
【特許文献１】特開２００２−２８２７８８号公報
【発明の開示】
【発明が解決しようとする課題】
【０００４】
本発明は上記従来の問題点に鑑みて発明したものであって、その目的とするところは、接触部と受け部とで毛髪を挟んで超音波振動による施術を行う時に、毛髪の横広がりを防止することができるヘアセット装置を提供することを課題とする。
【課題を解決するための手段】
【０００５】
上記課題を解決するために本発明の請求項１に係るヘアセット装置は、超音波振動を発生させる振動子１と、振動子１の振動を増幅して毛髪Ｈに伝達するホーン２とを備え、前記ホーン２の振動子１に連結した側と反対側の端面を毛髪Ｈとの接触部２０とすると共に、前記接触部２０とで毛髪Ｈを挟むための該接触部２０に対して離接自在な受け部３を設けたヘアセット装置において、接触部２０の両端部の振幅を中央部の振幅よりも大きくして成ることを特徴とするものである。このような構成とすることで、超音波振動による施術中に毛髪Ｈの横広がりを防止することができる。
【０００６】
また、請求項２に係る発明は、請求項１に係る発明において、接触部２０の両端部の振動方向を、接触部２０から受け部３方向に離れる程中央部に近づくように傾斜させて成ることを特徴とするものである。このような構成とすることで、超音波振動による施術中に横広がりをより一層防止することができる。
【０００７】
また、請求項３に係る発明は、請求項１又は２に係る発明において、受け部３とホーン２の接触部２０との少なくとも一方に押え部材６を設けて成ることを特徴とするものである。このような構成とすることで、超音波振動による施術中に横広がりをより一層防止することができる。
【発明の効果】
【０００８】
本発明では、超音波振動による施術中に毛髪の横広がりを防止することができて、ヘアセットにムラが生じたりセット時間が長くなるのを抑えることが可能となるとともに、消費電力を抑えることが可能となる。
【発明を実施するための最良の形態】
【０００９】
以下、本発明を添付図面に示す実施形態に基いて説明する。
【００１０】
ヘアセット装置は、図１（ａ）に示すように、挟み部材４に振動子１、ホーン２、受け部３を設けたものである。
【００１１】
挟み部材４は、二つの長尺の棒状又は板状の部材の長手方向の一端部同士を回動自在に連結し、他端部同士を近接・離間自在としたものである。
【００１２】
振動子１は、例えば伝導性金属シート（ニッケルまたはベリリウム銅からなるものが好ましい）を間に挟み込んだ圧電素子または磁歪素子を駆動源として電気振動を機械振動に変換するもので、その一端側にホーン２が取り付けられている。
【００１３】
ホーン２は正面視で矩形状をした例えば金属からなる板状のもので、基端側に振動子１が接続されるとともに先端側の端面が接触部２０となっている。接触部２０は、平面視において線状又は細長い矩形状となっており、その長手方向イと直交する方向に毛髪Ｈが配置されて受け部３とで毛髪Ｈを挟むものである。受け部３は、接触部２０とで毛髪Ｈを挟むもので、挟み部材４の一方の部材の回動側端部の対向面に振動子１、ホーン２を設けると共に、他方の部材の回動側端部の対向面に受け部３を設け、ホーン２の接触部２０と受け部３とを互いに離接自在としてあり、これにより毛髪Ｈを接触部２０と受け部３との間に挟んでヘアセットを行う。
【００１４】
ヘアセットを行うには、毛髪Ｈ内の水分を蒸散させてケラチン間の水素結合を組み替える必要があり、水分を蒸散させるには、熱による蒸散かあるいは超音波による霧化のいずれかの方法があるが、熱による蒸散の場合には熱板温度を１３０℃まで上昇させる必要があって蛋白変性及び火傷の惧れがあるため、低温でのヘアセットが可能な超音波振動による霧化が好ましいものである。
【００１５】
超音波振動でのヘアセットの場合、接触部２０と受け部３とで毛髪Ｈを挟んで超音波振動による施術を行うと、背景技術で述べたように毛髪Ｈの束が横広がりとなるため、本発明にあっては、接触部２０の毛髪Ｈと直交する方向（即ち接触部２０の長手方向イ）における両端部の振幅ｈ２を中央部の振幅ｈ１よりも大きくなるようにホーン２を形成するもので、以下に説明する。
【００１６】
ホーン２には、図１に示すように正面視において中央部に略矩形状をした開口２１を形成してある。振動子１からの振動は、ホーン２の基端−先端方向の振動ｖとして接触部２０に伝達されるが、この時、開口２１を形成した接触部２０の長手方向イの中央部の振幅ｈ１は小さく、開口２１のない両端部の振幅ｈ２は大きくなる。
【００１７】
このような構成とすることで、図１１に示す従来のヘアセット装置のように毛髪Ｈの横広がりとならず、図２に示すように横広がりを防止することができて、ヘアセットにムラが生じたりセット時間が長くなるのを抑えることが可能となるとともに、消費電力を抑えることが可能となる。
【００１８】
次に、図３、図４に基いて他の実施形態について説明する。なお、上実施形態と同じ部分については同符号を付して説明を省略し、主に異なる部分について説明する。
【００１９】
本実施形態のホーン２には、正面視において中央部に基端−先端方向に長いスリット２２が形成してある。この時の接触部２０の振動方向は、長手方向イの中央部のスリット２２を形成した部分以外の部分においては、接触部２０から離れる方向（対向する受け部３に行く方向）に行く程中央部に近づくように傾斜した振動方向となる。また振幅は、図３（ｃ）に示すようにスリット２２を形成した中央部が最も小さく、端部へ行く程大きくなる。これにより、図４に示すように毛髪Ｈの横広がりをより一層防止することができて、ヘアセットにムラが生じたりセット時間が長くなるのを抑えることが可能となるとともに、消費電力を抑えることが可能となる。
【００２０】
次に、図５、図６に基いて更に他の実施形態について説明する。なお、上実施形態と同じ部分については同符号を付して説明を省略し、主に異なる部分について説明する。
【００２１】
本実施形態にあっては、図１乃至図４に示すいずれかの実施形態において、受け部３とホーン２の接触部２０との少なくとも一方に発熱体５を設けるものである。図５には受け部３に発熱体５を設けた例を示す。なお図５中ホーン２の開口２１及びスリット２２を省略してある。
【００２２】
発熱体５としてはジュール熱による発熱させるもの、ペルチエ素子等、特に限定されない。発熱体５は、表面温度が５０〜９０℃となるように設定する。５０℃以上とすることで、毛髪Ｈ温度をガラス転移温度（形状変形し易い温度）以上に維持することができる。図６に、毛髪Ｈの含水率（％）−ガラス転移温度（Ｔｇ／℃）の関係図を示す。図中円印は計測値であり、実線は計測値に基いて導出した関係を示す線である。超音波振動により毛髪Ｈの含水率は１０％程度となり、この時のガラス転移温度は４０℃程度となるため、余裕をみて５０℃とするものである。また、９０℃以下とすることで、手や頭皮が瞬間的に触れても火傷せず、且つ毛髪Ｈ内のケラチン蛋白が熱変性を起こさせないようにすることができる。
【００２３】
このようにすることで、超音波振動による水分の蒸散に加えて熱による蒸散を併用して、ヘアセットの効率を上げることができ、安全で且つ快適で仕上がり感の優れたヘアセットが可能となる。
【００２４】
次に、図７、図８に基いて更に他の実施形態について説明する。なお、上実施形態と同じ部分については同符号を付して説明を省略し、主に異なる部分について説明する。
【００２５】
本実施形態にあっては、図１乃至図６に示すいずれかの実施形態において、受け部３とホーン２の接触部２０との少なくとも一方に、毛髪Ｈの横広がりを防止する押え部材６を設けるものである。図７は、ホーン２の接触部２０の両側に押え部材６を設けた例を示す。
【００２６】
押え部材６による毛髪の横広がりの防止について説明する。図８（ａ）にはヘアセット前の毛髪の横広がりを示し、（ｃ）は（ｂ）に示す押え部材６を設けていないヘアセット装置にてヘアセットした後の毛髪の横広がりを示し、（ｅ）は（ｄ）に示す押え部材６を接触部２０の片側に設けたヘアセット装置にてヘアセットした後の毛髪の横広がりを示し、（ｇ）は（ｆ）い示す押え部材６を接触部２０の両側に設けたヘアセット装置にてヘアセットした後の毛髪の横広がりを示す。図８より、毛髪の横広がりは、（ｇ）に示す押え部材６を接触部２０の両側に設けた場合の横広がり幅Ｗ３、（ｅ）に示す押え部材６を接触部２０の片側に設けた場合の横広がり幅Ｗ２、（ｃ）に示す押え部材６を設けていない場合の横広がり幅Ｗ１の順で狭いものであり、押え部材６が横広がりを抑えるのに有効であることがわかる。
【００２７】
押え部材６を設けることで、毛髪の挟み代と伸ばし代が広くなり、挟んで伸ばす機械的な形状変形力が向上し、仕上がり感の優れたヘアセットが可能となる。
【００２８】
なお本発明のヘアセット装置は、毛髪Ｈ以外の毛および繊維状の物体に対して施術する場合も適用可能である。
【図面の簡単な説明】
【００２９】
【図１】本発明の一実施形態を示し、（ａ）は正面断面図であり、（ｂ）は接触部の振動を説明する図であり、（ｃ）は（ｂ）の振幅を示す図である。
【図２】同上の実施形態において、（ａ）は接触部の長手方向の振幅を説明する図であり、（ｂ）は毛髪の横広がりを説明する図である。
【図３】本発明の他の実施形態を示し、（ａ）は正面断面図であり、（ｂ）は接触部の振動を説明する図であり、（ｃ）は（ｂ）の振幅を示す図である。
【図４】同上の実施形態において、（ａ）は接触部の長手方向の振動方向を説明する図であり、（ｂ）は毛髪の横広がりを説明する図である。
【図５】本発明の更に他の実施形態を示す正面断面図である。
【図６】毛髪の含水率（％）−ガラス転移温度（Ｔｇ／℃）の関係図である。
【図７】本発明の更に他の実施形態を示し、（ａ）は正面断面図であり、（ｂ）は挟み部材の回動側端部方向から見た側面図であり、（ｃ）は挟み部材の接触部及び押え部材を設けた部分の拡大図である。
【図８】同上の実施形態において毛髪の横広がりを説明するもので、（ａ）はヘアセット前の毛髪の横広がりを示す図であり、（ｂ）は押え部材を設けていないヘアセット装置の挟み部材の回動側端部方向から見た側面図であり、（ｃ）は（ｂ）のヘアセット装置にてヘアセットした後の毛髪の横広がりを示す図であり、（ｄ）は押え部材を接触部の片側に設けたヘアセット装置の挟み部材の回動側端部方向から見た側面図であり、（ｅ）は（ｄ）のヘアセット装置にてヘアセットした後の毛髪の横広がりを示す図であり、（ｆ）は押え部材を接触部の両側に設けたヘアセット装置の挟み部材の回動側端部方向から見た側面図であり、（ｇ）は（ｆ）のヘアセット装置にてヘアセットした後の毛髪の横広がりを示す図である。
【図９】（ａ）はヘアセット装置の使用状態を示す図であり、（ｂ）はヘアセット装置にて毛髪を挟む際の斜視図である。
【図１０】従来のヘアセット装置を示し、（ａ）はホーンの振動を説明する図であり、（ｂ）は（ａ）の振幅を示す図である。
【図１１】同上のヘアセット装置において、（ａ）は中央部の振幅が両端部より大きい場合の説明図、（ｂ）は振幅が長手方向全体で略均一の場合の説明図であり、（ｃ）は（ａ）及び（ｂ）の場合の毛髪の横広がりを示す図である。
【符号の説明】
【００３０】
１  振動子
２  ホーン
２０  接触部
３  受け部
【図１】
2006334109.tif 000003
【図２】
2006334109.tif 000004
【図３】
2006334109.tif 000005
【図４】
2006334109.tif 000006
【図５】
2006334109.tif 000007
【図６】
2006334109.tif 000008
【図７】
2006334109.tif 000009
【図８】
2006334109.tif 000010
【図９】
2006334109.tif 000011
【図１０】
2006334109.tif 000012
【図１１】
2006334109.tif 000013